(57)【要約】多入力多出力（ＭＩＭＯ）アンテナアレイ構造が、複数の無線周波数（ＲＦ）チェーン、複数のアンテナ素子、及び複数の位相シフタを有する１つの例において記載される。アンテナ素子及び位相シフタは、複数のアンテナアレイを形成し、ＲＦチェーンへ結合される。アンテナアレイの数は、ＲＦチェーンの数よりも多い。
2019514232.tif 000002
【特許請求の範囲】
【請求項１】
多入力多出力（ＭＩＭＯ）アンテナアレイ構造であって、
複数の無線周波数（ＲＦ）チェーンと、
複数のアンテナ素子と、
複数の位相シフタと
を有し、
前記複数のアンテナ素子及び前記複数の位相シフタは、前記ＲＦチェーンへ結合される複数のアンテナアレイを形成し、
前記複数のアンテナアレイの数は、前記複数のＲＦチェーンの数よりも多い、
ＭＩＭＯアンテナアレイ構造。
【請求項２】
前記複数のアンテナアレイの中の夫々の隣接するアンテナアレイは、前記複数のＲＦチェーンの中の異なるＲＦチェーンへ結合される、
請求項１に記載のＭＩＭＯアンテナアレイ構造。
【請求項３】
前記複数のアンテナアレイの中の夫々のアンテナアレイは、信号の送信及び受信のための別個の方向範囲をカバーし、前記複数のアンテナアレイによってサポートされる別個の方向範囲は、部分的に重なり合う、
請求項１に記載のＭＩＭＯアンテナアレイ構造。
【請求項４】
同数の前記複数のアンテナ素子及び前記複数の位相シフタは、前記複数のアンテナアレイの夫々を形成する、
請求項１乃至３のうちいずれか一項に記載のＭＩＭＯアンテナアレイ構造。
【請求項５】
異なる数の前記複数のアンテナ素子及び前記複数の位相シフタは、前記複数のアンテナアレイの夫々を形成する、
請求項１乃至３のうちいずれか一項に記載のＭＩＭＯアンテナアレイ構造。
【請求項６】
第１アンテナアレイを形成する前記複数のアンテナ素子及び前記複数の位相シフタの数は、前記第１アンテナアレイと対称的である第２アンテナアレイを形成する前記複数のアンテナ素子及び前記複数の位相シフタの数と同じである、
請求項１乃至３のうちいずれか一項に記載のＭＩＭＯアンテナアレイ構造。
【請求項７】
第１アンテナアレイを形成する前記複数のアンテナ素子及び前記複数の位相シフタの数は、前記第１アンテナアレイと対称的である第２アンテナアレイを形成する前記複数のアンテナ素子及び前記複数の位相シフタの数とは異なる、
請求項１乃至３のうちいずれか一項に記載のＭＩＭＯアンテナアレイ構造。
【請求項８】
第１アンテナアレイを形成する前記複数のアンテナ素子及び前記複数の位相シフタの数は、前記第１アンテナアレイと非対称的である第２アンテナアレイを形成する前記複数のアンテナ素子及び前記複数の位相シフタの数と同じである、
請求項１乃至３のうちいずれか一項に記載のＭＩＭＯアンテナアレイ構造。
【請求項９】
第１アンテナアレイを形成する前記複数のアンテナ素子及び前記複数の位相シフタの数は、前記第１アンテナアレイと非対称的である第２アンテナアレイを形成する前記複数のアンテナ素子及び前記複数の位相シフタの数とは異なる、
請求項１乃至３のうちいずれか一項に記載のＭＩＭＯアンテナアレイ構造。
【請求項１０】
当該ＭＩＭＯアンテナアレイ構造はフルランクＭＩＭＯをサポートする、
請求項１乃至３のうちいずれか一項に記載のＭＩＭＯアンテナアレイ構造。
【請求項１１】
多入力多出力（ＭＩＭＯ）アンテナアレイ構造のために構成される複数のアンテナアレイと、
信号を受信するよう前記ＭＩＭＯアンテナアレイ構造へ結合される受信器と、
信号を送信するよう前記ＭＩＭＯアンテナアレイ構造へ結合される送信器と
を有し、
前記ＭＩＭＯアンテナアレイ構造は、前記複数のアンテナアレイへ結合される複数の無線周波数（ＲＦ）チェーンを有し、
前記複数のアンテナアレイの数は、前記複数のＲＦチェーンの数よりも多い、
ワイヤレス通信装置。
【請求項１２】
前記複数のアンテナアレイの中の夫々の隣接するアンテナアレイは、前記複数のＲＦチェーンの中の異なるＲＦチェーンへ結合される、
請求項１１に記載のワイヤレス通信装置。
【請求項１３】
前記複数のアンテナアレイの中の夫々のアンテナアレイは、信号の送信及び受信のための別個の方向範囲をカバーし、前記複数のアンテナアレイによってサポートされる別個の方向範囲は、部分的に重なり合う、
請求項１１に記載のワイヤレス通信装置。
【請求項１４】
前記受信器は、前記ＭＩＭＯアンテナアレイ構造を介して、受信ビームによって搬送される信号を受信する、
請求項１１に記載のワイヤレス通信装置。
【請求項１５】
前記送信器は、前記ＭＩＭＯアンテナアレイ構造を介して、送信ビームによって搬送される信号を送信する、
請求項１１に記載のワイヤレス通信装置。
【請求項１６】
前記複数のアンテナアレイの夫々は、同数のアンテナ素子及び位相シフタを有する、
請求項１１乃至１５のうちいずれか一項に記載のワイヤレス通信装置。
【請求項１７】
前記複数のアンテナアレイの夫々は、異なる数のアンテナ素子及び位相シフタを有する、
請求項１１乃至１５のうちいずれか一項に記載のワイヤレス通信装置。
【請求項１８】
複数のビームフォーミングされた信号を受信する方法であって、
複数のアンテナアレイの夫々の候補受信ビームを通じてリファレンス信号の複数の独立した観測を行うことと、
選択基準に従って前記複数のアンテナアレイの夫々の前記候補受信ビームから多くても１つの受信ビームを選択することと
を有する方法。
【請求項１９】
前記候補受信ビームは、前記複数のアンテナアレイの夫々の関連する数の候補受信ビーム方向の中にある、
請求項１８に記載の、複数のビームフォーミングされた信号を受信する方法。
【請求項２０】
前記複数の独立した観測は、前記複数のアンテナアレイの夫々で並行して行われる、
請求項１８に記載の、複数のビームフォーミングされた信号を受信する方法。
【請求項２１】
前記複数のアンテナアレイの夫々からの前記受信ビームは、同時に選択される、
請求項１８に記載の、複数のビームフォーミングされた信号を受信する方法。
【請求項２２】
前記選択された受信ビームは、ハイ信号強度を表す、
請求項１８に記載の、複数のビームフォーミングされた信号を受信する方法。
【請求項２３】
前記リファレンス信号は、既知のパターンの所定の信号によって占有される一群の別個の時間−周波数リソースである、
請求項１８に記載の、複数のビームフォーミングされた信号を受信する方法。
【請求項２４】
前記選択基準は、一群の選択基準のグループの中の１つである、
請求項１８に記載の、複数のビームフォーミングされた信号を受信する方法。
【請求項２５】
プロセッサによって実行される場合に、該プロセッサに、請求項１８乃至２４のうちいずれか一項に記載の、複数のビームフォーミングされた信号を受信する方法を実行させるコンピュータプログラム。
【請求項２６】
請求項２５に記載のコンピュータプログラムを記憶したコンピュータ可読媒体。
【発明の詳細な説明】
【技術分野】
【０００１】
ここで記載される実施形態は、ＭＩＭＯワイヤレス通信において複数のビームフォーミングされた信号を受信又は送信するワイヤレス通信装置、方法、及びシステムのための通信アーキテクチャに概して関係がある。
【背景技術】
【０００２】
最新のワイヤレス通信装置は、進歩した通信テクノロジをサポートするよう複数のアンテナを含むことがある。例えば、データは、より高いロバスト性及びスループットを達成するよう、複数のアンテナを介して受信又は送信され得る。複数のアンテナ、例えば、各アンテナでの信号の位相がある量だけシフトされているアンテナのアレイ、例えば、フェーズドアンテナアレイは、ビームフォーミング技術のために使用され得る。ビームフォーミング技術は、アンテナの指向性パターンを制御することによって、他の方向への又は他の方向からの意図的でない干渉を減らしながら、意図された装置での信号品質を改善することができる。効率的なアーキテクチャが、何らかの所望の角度へ、又は何らかの所望の角度の組み合わせへ送信又は受信ビームの方向を制御するために、且つ、例えば、多数の空間的に多重化された信号レイヤを達成するよう、フルランクＭＩＭＯをサポートするために、望まれることがある。
【図面の簡単な説明】
【０００３】
図面において、同じ参照符号は、一般に、異なる図にわたって同じ部分を参照する。図面は必ずしも実寸どおりではなく、代わりに、一般的に、本発明の原理を説明するときに強調が置かれる。以下の記載では、様々な態様が、次の図面を参照して記載される。
【図１】いくつかの実施形態に従って、ワイヤレス通信システム、例えば、第５世代（５Ｇ）ワイヤレス通信システムを示す。
【図２】ベースライン・シングルビーム・パー・アレイ構造を示す。
【図３】デュアルビーム・パー・アレイ構造を示す。
【図４ａ】ベースライン・シングルビーム・パー・アレイ構造によるデュアルレイヤ空間多重化（ＳＭ）信号の受信を示す。
【図４ｂ】デュアルビーム・パー・アレイ構造によるデュアルレイヤ空間多重化（ＳＭ）信号の受信を示す。
【図５】いくつかの実施形態に従って、４つの辺を持つ（長方形）アンテナアレイ構造を示す。
【図６】いくつかの実施形態に従って、４つの辺を持つ（長方形）アンテナアレイ構造によるデュアルレイヤ空間多重化（ＳＭ）信号の受信を示す。
【図７】いくつかの実施形態に従って、ビームフォーミングされた信号を選択し受信する方法の例を表すフロー図を示す。
【発明を実施するための形態】
【０００４】
以下の詳細な記載は、実例として、発明が実施され得る本開示の具体的な詳細及び態様を示す添付の図面を参照する。他の態様が利用されてよく、構造的、論理的、及び電気的な変更は、本発明の適用範囲から逸脱することなしに行われてよい。本開示のいくつかの態様は、新しい態様を形成するよう本開示の１つ以上の他の態様と組み合わされ得るということで、本開示の様々な態様は、必ずしも相互排他的ではない。
【０００５】
図１は、いくつかの実施形態に従って、ワイヤレス通信システム１００、例えば、５Ｇワイヤレス通信システムを示す。
【０００６】
ワイヤレス通信システム１００、例えば、５Ｇワイヤレス通信システムは、無線アクセスネットワーク１０１を含む。無線アクセスネットワーク１０１は、基地局１２０〜１２２を含んでよい。夫々の基地局、例えば、基地局１２０は、無線アクセスネットワーク１０１の１つ以上のモバイル無線セル、例えば、モバイル無線セル１１０のための無線カバレッジを提供してよい。
【０００７】
複数のワイヤレス通信装置１３０〜１３２（モバイル端末、ユーザ機器（ＵＥ；User  Equipment）、モバイル局（ＭＳ；Mobile  Station(s)）、又はモバイル装置）が、ワイヤレス通信システム１００のモバイル無線セル１１０に配置されてよい。ワイヤレス通信装置、例えば、ワイヤレス通信装置１３０は、モバイル無線セル、例えば、モバイル無線セル１１０のためのカバレッジを提供しながら（すなわち、作動させながら）、基地局、例えば、基地局１２０を介して、他のワイヤレス通信装置、例えば、ワイヤレス通信装置１３１又は１３２と通信してよい。
【０００８】
エアインターフェイスチャネル、例えば、チャネル１４０を介した無線通信のために、ワイヤレス通信装置、例えば、ワイヤレス通信装置１３０は、無線周波数（ＲＦ；Radio  Frequency）コンポーネント１５１のチェーンと、複数のアンテナ１５０と、ベースバンドプロセッサ１５２とを含んでよい。ＲＦコンポーネント１５１のチェーンは、ＲＦチェーンと呼ばれることもあり、ＲＦ受信器、ＲＦ送信器、又はＲＦトランシーバを含んでよい。複数のアンテナ１５０は、例えば、フェーズドアンテナアレイであることができる。ベースバンドプロセッサ１５２は、例えば、アナログ信号処理を提供するアナログベースバンドと、アナログ領域とデジタル領域との間の変換を提供するアナログ−デジタル変換器（ＡＤＣ；Analog-to-Digital  Converter）及びデジタル−アナログ変換器（ＤＡＣ；Digital-to-Analog  Converter）と、デジタル信号処理を提供するデジタルベースバンドとを含んでよい。
【０００９】
ワイヤレス通信装置、例えば、ワイヤレス通信装置１３０は、同じＲＡＴ（Radio  Access  Technology）に従って、又は異なるＲＡＴに従って作動し得る１つ以上のモバイル通信ネットワークのカバレッジ内にあることができる。
【００１０】
無線アクセスネットワーク１０１は、様々な通信テクノロジ、例えば、モバイル通信標準に従って、通信をサポートしてよい。夫々の基地局、例えば、１２０は、５Ｇ、ＬＴＥ（Long  Term  Evolution）、ＵＭＴＳ（Universal  Mobile  Communications  System）、ＧＳＭ（登録商標）（Global  System  for  Mobile  Communications）、ＥＤＧＥ（Enhanced  Data  Rates  for  GSM  Evolution）無線アクセスに従って、基地局１２０とワイヤレス通信装置、例えば、ワイヤレス通信装置１３０との間のエアインターフェイスチャネル、例えば、エアインターフェイスチャネル１４０を介した無線通信接続を提供する。
【００１１】
ＭＩＭＯワイヤレス通信システムは、複数の空間的に分離可能な信号レイヤを多重化することによりサポートされ得る。信号レイヤの空間分離は、１つ以上であるが全てではないＭＩＭＯレイヤを、例えば、送信器での１つの送信（Ｔｘ）ビームへマッピングすることによって、複数のビームにより達成され得る。このような空間多重化スキームは、ここではマルチビームＭＩＭＯと表され、５Ｇを含む広範な通信システムの不可欠な部分であり得る。例えば、受信器は、複数の受信（Ｒｘ）ビームを用いてよく、１つ以上のＲｘビームの方向は、１つのＴｘビームからの１つの信号の受信信号品質を高める、例えば、最大限にするよう、基準に従って選択される。送信及び受信の両方向におけるバイラテラル・ビームフォーミングは、高周波帯域における無線波の高い大気減衰及び物質吸収特性に起因して、高周波帯域、例えば、ミリメートル波帯域（３０〜３００ＧＨｚ）において特に有用であり得る。
【００１２】
少なくともＰ・Ｌ個のレイヤをサポートするバイラテラルＬビーム（Ｌが整数であるとして、Ｌ≧２）ＭＩＭＯは、送信器又は受信器での少なくともＰ・Ｌ個のＲＦチェーン及びＬ個のビームによって達成され得る。Ｐ∈｛１，２｝であり、そのようなバイラテラルＬビームＭＩＭＯがサポートする偏光の数を表す。例えば、Ｐ＝１の場合には、ＭＩＭＯは、単一の偏光された（single-polarized）伝送をサポートし、Ｐ＝２の場合には、ＭＩＭＯは、交差偏光された（cross-polarized）伝送をサポートする。ＲＦチェーンは、ここでは、論理的な単一レイヤＲＦチェーンエンティティを表す。ＲＦチェーンは、例えば、ＲＦ受信器、ＲＦ送信器、又はＲＦトランシーバを含んでよい。ＲＦチェーンは、例えば、複数の並列なレイヤ、例えば、交差偏光された信号の両方の偏光成分を処理することができる物理的なＲＦブロックであってよい。ＲＦチェーンの数は、ＲＦチェーンの費用、ハードウェアサイズ、及び電力消費に起因して、ＬビームＭＩＭＯのためのＰ・Ｌ個の空間多重化されたレイヤ、例えば、Ｐ・Ｌ個のＲＦチェーンを分解するよう少ない数に保たれる。
【００１３】
更に、フェーズドアンテナアレイを含む指向性アンテナは、限られた視野（ＦＯＶ；Field  Of  View）を有している。ＦＯＶは、アンテナアレイの主ローブが方向付けられ得る角度範囲である。ワイヤレス通信装置におけるビームフォーミングの１つの適用は、例えば、複数の同時にビームフォーミングされた信号を用いて信号が空間的に多重化されるＭＩＭＯ通信をサポートすることである。ビームフォーミングされた信号を送信又は受信するために、ビームフォーミング送信器又はビームフォーミング受信器が、指向性アンテナ又はフェーズドアンテナアレイへ結合してよい。指向性アンテナ、例えば、フェーズドアンテナアレイの限られたＦＯＶは、Ｌ個のビームをいずれかの所望の角度又はいずれかの所望の角度の組み合わせへ方向付けるよう、ビームフォーミング送信器又はビームフォーミング受信器が夫々のアンテナアレイで又はＬ個よりも多いアンテナアレイで複数のビームを必要とし得ることを意味する。送信器と比較して、受信器は、それが受信する信号のためのビーム方向を選択する自由度が少ないことがある。
【００１４】
フェーズドアンテナアレイ及びＲＦチェーンの効率的なアンテナアレイ構造は、例えば、十分なビームフォーミング性能、例えば、いずれかの所望の角度の組み合わせをサポートするビーム幅、利得、及び機能を提供しながら、費用を削減し得る。そのような構造は、ＬビームＭＩＭＯをサポートすることができる。
【００１５】
少なくともＰ・Ｌ個のレイヤをサポートするバイラテラルＬビーム（Ｌが整数であるとして、Ｌ≧２）は、Ｐ・Ｌ個のＲＦチェーン及び２Ｌ個のアンテナアレイにより形成されてよい。ここで、Ｐ∈｛１，２｝。ＲＦチェーンの形態の夫々は、単一偏光信号と関連し得る。アンテナアレイの夫々は、０°位相シフトを有するボアサイトとして定義される別個の方向、例えば、法線方向に面してよい。方向は、２Ｌ個のアンテナアレイの夫々について別個であってよい。３次元（３Ｄ）の球にわたってＬ個の同時のビーム方向の如何なる組み合わせもサポートするビームフォーミング装置の一分類に関して、アンテナアレイは、２Ｌ個の辺を有する多面体（polyhedron）パターンにおいて配置されてよい。アンテナアレイ（辺）のＦＯＶは多面体から外に向く。ビームフォーミング装置の一分類に関して、２次元（２Ｄ）平面上のビーム方向の分解性は、より重要であり、ビームフォーミング装置のそのような分類のためのアンテナアレイの多面体パターンは、２Ｌ個の辺を有する多角形（polygon）パターンへ縮減され得る。例えば、ビームフォーミング装置のそのような分類の方位角−仰角方向が安定している場合には、仰角面におけるビーム粒度は、方位角面におけるそれよりも重要でない。送信のために、ＲＦチェーンの出力は、ただ１つのアンテナアレイへマッピングしてよい。受信のために、ＲＦチェーンへの入力は、１つの選択されたアンテナアレイから伝来してよく、あるいは、１つよりも多いアンテナアレイからの結合信号であってよい。
【００１６】
以降、説明の簡単のために、２レイヤ（交差偏光の場合には、４レイヤ）をサポートする２次元（２Ｄ）デュアルビームＭＩＭＯシナリオの簡略化された単一偏光の例が記載される。２Ｄの例の２Ｄ平面は、方位角面として表され得る。更に、理想的なシナリオが紹介され、例えば、フェーズドアンテナアレイは１８０°のＦＯＶ、例えば、法線方向からの±９０°を有し、一方、最大ＦＯＶは実際には１８０°に満たず、例えば、１２０°であり得る。これは、ワイヤレス信号の電磁波面に対するアレイ基板、反射体、又は他のオブジェクトの影響に起因し得る。そのため、ここで紹介される、例となる実施形態は、拡張又は変更されてよく、例えば、フェーズドアンテナアレイは、２Ｌ個よりも多い辺をサポートする。いくつかの実施形態において、アンテナアレイの如何なるグループの組み合わされたＦＯＶも、所望のビーム方向のカバレッジを形成するよう、いずれかの所与のＲＦチェーンへ結合されてよい。
【００１７】
図２は、デュアルビームＭＩＭＯ  ＳＭ受信のためのベースライン・フェーズドアンテナアレイ構造２００を示す。ベースライン・フェーズドアンテナアレイ構造２００は、シングルビーム・パー・アレイ（single-beam  per  array）によるデュアルアレイのための最も簡単な構造であり得る。ベースライン・フェーズドアンテナアレイ構造２００は、以降、ベースライン構造２００とも呼ばれ得る。１８０°ＦＯＶの理想的な２Ｄシナリオでは、ベースライン構造２００は完全な３６０°カバレッジを提供し得る。ベースライン構造はＲＦチェーン２１０及び２５０を用いてよい。ベースライン構造２００は、一方のＲＦチェーン２１０へ接続されている位相シフタ２１１〜２１８及びアンテナ素子２３１〜２３８と、他方のＲＦチェーン２５０へ接続されている位相シフタ２５１〜２５８及びアンテナ素子２７１〜２７８とを更に用いてよい。位相シフタ及びアンテナ素子は、ＦＯＶ境界２０１を有する複数のアンテナアレイを形成してよい。記載されるように、２つのＲＦチェーンと、１６個のアンテナ素子と、１６個の位相シフタとが、例となるベースライン構造２００において存在する。
【００１８】
ベースライン構造２００の３次元（３Ｄ）拡張は、仰角面においてアンテナ素子の更なる列をスタックすることによって構成されてよい。これは、方位角のビーム粒度だけでなく仰角のビーム粒度も、例えば、３Ｄビームフォーミング・カバレッジを、提供し得る。そのような３Ｄ構造は、例えば、ＵＥのためのビームフォーミング・フレームワークを開発する５Ｇ産業において、ベースラインモデルとして考えられ得る。
【００１９】
図３は、デュアルビームＭＩＭＯ  ＳＭ受信のためのマルチビーム・パー・アレイ（multi-beam-per-array）構造３００を示す。マルチビーム・パー・アレイ構造３００は、メッシュ構造３００とも呼ばれることがあり、ＲＦチェーン、例えば、ＲＦチェーン３１０及び３５０を用いてよい。メッシュ構造３００は、一方のＲＦチェーン３１０へ接続されている位相シフタ３１１〜３１８及び３２１〜３２８並びにアンテナ素子３３１〜３３８と、他方のＲＦチェーン３５０へ接続されている位相シフタ３５１〜３５８及び３６１〜３６８並びにアンテナ素子３７１〜３７８とを更に用いてよい。位相シフタ及びアンテナ素子は、ＦＯＶ境界３０１を有する複数のアンテナアレイを形成する。図２によって表されているベースライン構造２００と比較して、メッシュ構造３００は、２倍の個数の位相シフタ、更には、追加のハードウェア、例えば、信号スプリッタ、信号コンバイナ、電力増幅器、及び低雑音電力増幅器を利用し得る。記載されるように、２個のＲＦチェーンと、１６個のアンテナ素子と、３２個の位相シフタと、１６個の信号スプリッタと、１６個の信号コンバイナと、１６個の電力増幅器と、１６個の低雑音増幅器とが、例となるメッシュ構造３００において存在し得る。その上、メッシュ構造３００は、副作用に対抗する追加のハードウェアを含んでよい。例えば、メッシュ構造３００は、電力増幅器のような非線形アクティブデバイスの相互変調ひずみを扱うよう、ＲＦチェーンにおいて、及びベースバンドにおいて、専用の信号処理を利用してよい。
【００２０】
図４ａ及び４ｂは、いくつかの実施形態に従って、２つ以上のビームフォーミングされた信号がただ１つのアンテナアレイのＦＯＶに到達するデュアルレイヤＭＩＭＯ  ＳＭシナリオを示す。図４ａは、例えば、２つ以上のビームフォーミングされた信号が、ベースライン構造２００のただ１つのアンテナアレイのＦＯＶに到達するデュアルレイヤＭＩＭＯ  ＳＭシナリオ４００を示す。例えば、Ｔｘビーム２８０及び２８１によって搬送される２つの送信信号が、アンテナアレイのうちの１つ、例えば、ＲＦチェーン２１０へ結合されているアンテナアレイ１のＦＯＶに到達する場合に、ただ１つの信号、例えば、Ｔｘビーム２８０によって搬送される送信信号は、Ｒｘビーム２９０を介して受信され得る。ベースライン構造は、意図されたフルランク（２レイヤ）２ビームＭＩＭＯをサポートすることができず、代わりに、そのようなシナリオでスループットが低減された１レイヤ伝送へ後退する必要があり得る。図４ｂは、メッシュ構造、例えば、２つ以上のビームフォーミングされた信号がデュアルビーム・パー・アレイのメッシュ構造３００のただ１つのアンテナアレイのＦＯＶに到達するデュアルレイヤＭＩＭＯ  ＳＭシナリオ４１０を示す。例えば、Ｔｘビーム３８０及び３８１によって搬送される２つの送信信号が、アンテナアレイのうちの１つ、例えば、ＲＦチェーン３１０及びＲＦチェーン３５０へ結合されているアンテナアレイ１のＦＯＶに到達する場合に、２つの信号、例えば、Ｔｘビーム３８０及び３８１によって搬送される２つの送信信号は、Ｒｘビーム３９０及び３９１を介して受信され得る。ベースライン構造２００と比較して、メッシュ構造３００は、そのようなシナリオをサポートすることができ、例えば、２つ以上のビームフォーミングされた信号がただ１つのアンテナアレイのＦＯＶに到達する。
【００２１】
図示されるように、図２によって表されているベースライン構造２００は、最大データスループットを達成することにおいて限界を有し得る。それは、例えば、２つのＴｘビームによって搬送されるデュアルレイヤＳＭ信号の両方ともが、他のアンテナアレイ（例えば、ＲＦチェーン２５０へ結合されているアンテナアレイ）の不感地帯にあり得る１つのアンテナアレイ（例えば、ＲＦチェーン２１０へ結合されているアンテナアレイ）のＦＯＶに到達する場合に、それらの信号を受信又は分解することができない。一般に、ベースライン構造２００は、２つ以上のＴｘビームによって搬送される信号がただ１つのアンテナアレイのＦＯＶに到達する場合に、マルチビームＭＩＭＯ信号を受信することができない。図３によって表されているメッシュ構造３００は、いずれかの角度で到達する２つのＴｘビームによって搬送されるデュアルレイヤＳＭ信号を受信し分解するようアンテナアレイごとに２つの主ローブを形成することができ、従って、スループットの増大を達成し得る。しかし、実施努力及び使用の費用が高い。
【００２２】
以下では、高性能及び高効率のためのフェーズドアンテナアレイが記載される。図５は、いくつかの実施形態に従って、単一の偏光された多面体アンテナアレイ構造５００、例えば、２Ｄにおける多角形アンテナアレイ構造を示す。単一の偏光された多面体アンテナアレイ構造５００は、アンテナアレイ構造５００とも呼ばれることがあり、垂直ＦＯＶ境界５０１及び水平ＦＯＶ境界５０２を有して複数のアンテナアレイ、例えば、アンテナアレイ５０５、５０６、５０７及び５０８を形成する多数のアンテナ素子及び位相シフタを用いてよい。アンテナアレイ構造５００は、例えば、複数のアンテナアレイへ結合されている複数のアンテナ素子及び位相シフタへ結合されているＲＦチェーン、例えば、ＲＦチェーン５１０及び５５０を用いてよい。ＦＯＶ境界５０１及びＦＯＶ境界５０２は、例えば、お互いに垂直である。ＦＯＶ境界５０１及びＦＯＶ境界５０２はまた、お互いに対して他の位置で構成されてよい。例えば、ＦＯＶ境界５０１は、ＦＯＶ境界５０２に対して如何なる角度でも位置付けられ得る。更に、ＦＯＶ境界５０１及びＦＯＶ境界５０２は、ワイヤレス通信装置に対して如何なる角度でも位置付けられ得る。
【００２３】
垂直レベルにおいて、１つのＲＦチェーン、例えば、ＲＦチェーン５１０は、ＦＯＶ境界５０１の両側で位相シフタ及びアンテナ素子の対称配置を有してよい。例えば、アンテナアレイ５０５は、４つの位相シフタ５１１〜５１４及び４つのアンテナ素子５３１〜５３４を有してよく、ＦＯＶ境界５０１の第１の側からＲＦチェーン５１０へ接続されてよい。アンテナアレイ５０７は、他の４つの位相シフタ５１５〜５１８及び他の４つのアンテナ素子５３５〜５３８を有してよく、ＦＯＶ境界５０１の第２の側からＲＦチェーン５１０へ接続されてよい。アンテナアレイ５０５及び５０７は、対向する側からそれらが共通のＲＦチェーンと結合されるということで、お互いと対称的であると見なされ得る。水平レベルにおいて、他のＲＦチェーン、例えば、ＲＦチェーン５５０は、ＦＯＶ境界５０２の両側で位相シフタ及びアンテナ素子の対称配置を有してよい。例えば、アンテナアレイ５０８は、４つの位相シフタ５５１〜５５４及び４つのアンテナ素子５７１〜５７４を有してよく、ＦＯＶ境界５０２の第１の側からＲＦチェーン５５０へ接続されてよい。アンテナアレイ５０６は、他の４つの位相シフタ５５５〜５５８及び他の４つのアンテナ素子５７５〜５７８を有してよく、ＦＯＶ境界５０２の第２の側からＲＦチェーン５５０へ接続されてよい。アンテナアレイ５０６は、アンテナアレイ５０８と対称的であり得る。対称配置はまた、４つの辺を持つ（four-sided）アンテナアレイ構造又は他の多角形アレイ構造を構成するよう形成されてよい。
【００２４】
アンテナアレイ構造５００のような２Ｄ構造において、４つ（２Ｌ，Ｌ＝２）のシングルビーム・アンテナアレイが形成されてよく、例えば、各ＲＦチェーンは２つのアンテナアレイへ結合される。図示されるように、別個のＲｘビームの如何なる対も、２つのＲＦチェーンと夫々関連する２つのアンテナアレイによって同時にサポートされ得る。例えば、垂直レベルにおいて、アンテナアレイ５０５は、２７０°から９０°の範囲を有するＦＯＶを有してよく、アンテナアレイ５０７は、９０°から２７０°の範囲を有するＦＯＶを有してよい。例えば、水平レベルにおいて、アンテナアレイ５０６は、０°から１８０°の範囲を有するＦＯＶを有してよく、アンテナアレイ５０８は、１８０°から０°の範囲を有するＦＯＶを有してよい。記載されるように、４つの辺を持つアンテナアレイ構造、例えば、長方形アレイ構造が形成される。２Ｄにおける他の多角形アレイ構造も形成され得る。更に、様々な実施形態において、多数のアンテナ素子及び位相シフタが複数のアンテナアレイを形成する。複数のアンテナアレイ、例えば、アンテナアレイ５０５、５０６、５０７、及び５０８の夫々を形成するアンテナ素子及び位相シフタの数は異なってよい。
【００２５】
４辺アンテナアレイ構造は、多数の原理を示し得る。第１の例に関して、夫々の偏光のために、４辺アンテナアレイ構造は、ＲＦチェーンよりも多いアンテナアレイを有してよい。第２の例に関して、各アンテナアレイのＦＯＶは、信号の送信及び受信のための別個の方向範囲をカバーしてよく、各アンテナアレイによってサポートされる別個の方向範囲は、部分的に重なり合ってよい。第３の例に関して、隣接するアンテナアレイは、異なるＲＦチェーンへ結合されてよい。更に、いずれかの所与の単一のＲＦチェーンへ結合される全てのアンテナアレイの結合されたＦＯＶは、所望のビーム方向の完全なカバレッジ、例えば、完全な３６０°を形成してよい。原理に従って、例となる４辺アンテナアレイ構造は、非対称な４辺アンテナアレイ構造又は、より多くのアンテナアレイ（辺）を有する他の多角形構造、例えば、３つのビームをサポートする六角形（６つの辺を持つ）構造若しくは４つのビームをサポートする八角形（８つの辺を持つ）構造に拡張されてよい。
【００２６】
例となる非対称な４辺アンテナアレイ構造は、複数のアンテナアレイを有してよく、アンテナアレイの夫々は、異なる数のアンテナ素子及び位相シフタを有する。例えば、第１アンテナアレイは、アンテナ素子及び位相シフタを３つずつ有してよく、第２アンテナアレイは、アンテナ素子及び位相シフタを４つずつ有してよく、第３アンテナシフタは、アンテナ素子及び位相シフタを５つずつ有してよく、第４アンテナアレイは、アンテナ素子及び位相シフタを６つずつ有してよい。
【００２７】
他の例となる非対称な４辺アンテナアレイ構造は、異なる数のアンテナ素子及び位相シフタを有する共通のＲＦチェーンと結合されたアンテナアレイを有してよい。例えば、第１アンテナアレイは、アンテナ素子及び位相シフタを３つずつ有してよく、第２アンテナアレイは、第１アンテナアレイと同じＲＦチェーンへ結合されて、アンテナ素子及び位相シフタを４つずつ有してよい。様々な実施形態において、第１アンテナアレイ及び第２アンテナアレイは、第３アンテナアレイ及び第４アンテナアレイと同数又は異なる数のアンテナ素子及び位相シフタを有してよい。例えば、アンテナアレイ構造５００に関して、アンテナアレイ５０５は、アンテナアレイ５０７とは異なる数のアンテナ素子及び位相シフタを有してよいが、アンテナアレイ５０６又はアンテナアレイ５０８とは同じ（又は異なる）数のアンテナ素子及び位相シフタを有してよい。
【００２８】
いくつかの実施形態において、非対称な４辺アンテナアレイ構造は、複数のアンテナアレイを有してよく、複数のアンテナアレイの夫々は、他のアンテナアレイの法線方向とは異なっている法線方向を有している。
【００２９】
いくつかの実施形態において、非対称な４辺アンテナアレイ構造は、複数のアンテナアレイを有してよく、アンテナアレイの夫々は異なるＦＯＶを有している。
【００３０】
いくつかの実施形態において、六角形（６辺）アンテナアレイ構造は、３つのビームをサポートすることができる。六角形構造は対称又は非対称であることができる。
【００３１】
いくつかの実施形態において、八角形（８辺）アンテナアレイ構造は、４つのビームをサポートすることができる。八角形構造は対称又は非対称であることができる。
【００３２】
様々な実施形態において、３Ｄ多面体アンテナアレイ構造が構成されてよい。３Ｄ多面体アンテナアレイ構造の部材アンテナアレイの法線方向は、３Ｄ空間の３つ全ての軸に対応してよい。例えば、３ビームＭＩＭＯに関して、３つのＲＦチェーンへ結合されている６つのアンテナアレイが六面体を形成してよい。これは、対称なサブケースでは立方体に退化し得る。一般に、２Ｌ個の辺を持つ多面体アンテナアレイ構造は、Ｐ・Ｌ個のＲＦチェーン及び２Ｌ個のアンテナアレイを有してＬビームＭＩＭＯのために構成され得る。
【００３３】
そのような４辺アンテナアレイ構造は、図２によって表されているベースライン構造と比較して、別個のＲｘビーム方向の如何なる同時の対もサポートし得る。更に、そのような４辺アンテナアレイ構造に関して、追加のハードウェア部品、例えば、位相シフタ、信号スプリッタ、信号コンバイナ、電力増幅器、又は低雑音増幅器は、図３によって表されているメッシュ構造と比較して、必要とされない。
【００３４】
図６は、いくつかの実施形態に従って、４つの辺を持つ（長方形）アンテナアレイ構造６００による空間多重化されたデュアルレイヤ信号の受信を示す。例えば、２つのＴｘビーム、例えば、Ｔｘビーム５８０及び５８１によって搬送される２つの送信信号が、ＲＦチェーン５１０及び５５０へ結合されるアンテナアレイ５０５〜５０８のうちのいずれか１つのＦＯＶに到達する場合に、それらは、２つのＲｘビーム、例えば、Ｒｘビーム５９０及び５９１を介して受信され得る。図２によって表されているベースライン構造２００又は図３によって表されているメッシュ構造３００と夫々比較して、４辺アンテナアレイ構造は、２つ以上のビームフォーミングされた信号がいずれか１つのアンテナアレイのＦＯＶに到達するシナリオをサポートすることができる。これは、隣接するアンテナアレイが重なり合ったＦＯＶを有し、異なるＲＦチェーンへ結合されるからである。
【００３５】
例えば、Ｔｘビーム５８０及び５８１によって搬送される２つの送信信号は、ＦＯＶ境界５０２に対して異なる角度で到達してよい。Ｔｘビーム５８０によって搬送される一方の送信信号は、例えば、ＦＯＶ境界５０２に対して４５°の角度で到達してよく、Ｔｘビーム５８１によって搬送される他方の送信信号は、例えば、ＦＯＶ境界５０２に対して６０°の角度で到達してよい。このシナリオでは、一方の送信信号は、ＲＦチェーン５１０へ結合されているアンテナアレイ５０５によってＲｘビーム５９０を介して受信され得、他方の送信信号は、ＲＦチェーン５５０へ結合されているアンテナアレイ５０６によってＲｘビーム５９１を介して受信され得る。
【００３６】
例えば、Ｔｘビーム５８０及び５８１によって搬送される２つの送信信号は、ＦＯＶ境界５０２に対して異なる角度で到達してよい。Ｔｘビーム５８０によって搬送される一方の送信信号は、例えば、ＦＯＶ境界５０２に対して３０°の角度で到達してよく、Ｔｘビーム５８１によって搬送される他方の送信信号は、例えば、ＦＯＶ境界５０２に対して２１０°の角度で到達してよい。このシナリオでは、一方の送信信号は、ＲＦチェーン５１０へ結合されているアンテナアレイ５０５によってＲｘビーム５９０を介して受信され得、他方の送信信号は、ＲＦチェーン５５０へ結合されているアンテナアレイ５０８によってＲｘビーム５９１を介して受信され得る。あるいは、一方の送信信号は、ＲＦチェーン５５０へ結合されているアンテナアレイ５０６によってＲｘビーム５９０を介して受信され得、他方の送信信号は、ＲＦチェーン５１０へ結合されているアンテナアレイ５０７によってＲｘビーム５９１を介して受信され得る。他の受信配置も形成され得る。
【００３７】
そのようなものとして、４辺アンテナアレイ構造は、如何なる角度でも到達する２つ以上のビームフォーミングされた信号を受信し分解することができる。そのような構造は、マルチビームＭＩＭＯのスループットの増大を達成し得る。
【００３８】
図５によって表されている４辺アンテナアレイ構造の例を含む多面体アンテナアレイ構造の分類は、上記の例において示されている受信に加えて、マルチビームＭＩＭＯ信号の効率的な送信のために使用されてよい。更に、構造は、角度の如何なる組み合わせにおいても、ＲＦチェーンから別個の信号を夫々搬送する２つ以上の送信ビームを方向付けることを可能にする。対照的に、ベースライン構造は、そのＴｘビームを角度の如何なる組み合わせへも方向付けることができない。メッシュ構造は、そのＴｘビームを角度の如何なる組み合わせへも方向付けることができるが、信号コンバイナ、電力増幅器、及び余分の位相シフタという代償を払う。
【００３９】
ワイヤレス通信装置のコンポーネント、例えば、送信器、受信器、位相シフタ、アンテナ素子、信号コンバイナ、電力増幅器、低雑音増幅器は、例えば、１つ以上の回路によって実装されてよい。“回路”は、如何なる種類の論理実装エンティティとしても理解されてよく、特別目的の回路構成、若しくはメモリに記憶されているソフトウェアを実行するプロセッサ、ファームウェア、又はそれらのあらゆる組み合わせであってよい。このように、“回路”は、ハードワイヤードの論理回路又は、プログラム可能なプロセッサ、例えば、マイクロプロセッサのような、プログラム可能な論理回路であってよい。“回路”はまた、ソフトウェア、例えば、あらゆる種類のコンピュータプログラム、を実行するプロセッサであってよい。以下で更に詳細に記載される夫々の機能の如何なる他の種類の実装も、“回路”として理解されてよい。
【００４０】
ワイヤレス通信装置は、例えば、Ｌレイヤ・マルチビームＭＩＭＯをサポートするＬ個のＲＦチェーンを有する、２Ｌ個の辺を持つ多面体アンテナアレイ構造を組み込まれている。２Ｌ個の辺を持つ多面体アンテナアレイ構造は、例えば、Ｌ＝２の場合に、図５によって表されている４辺アレイ構造であることができ、図７によって表されるような、ビームフォーミングされた信号を受信又は送信する方法の例を実行する。記載されるように、ワイヤレス通信装置は、ＵＥ、モバイル装置、受信機、送信機、又はＭＳであることができる。
【００４１】
図７は、いくつかの実施形態に従って、Ｒｘビームを選択し、ビームフォーミングされた信号を受信する方法の例を表すフロー図を説明するフロー図７００を示す。
【００４２】
７１０で、多面体アンテナアレイ構造、例えば、図５によって表されている４辺アンテナアレイ構造を組み込まれているワイヤレス通信装置は、例えば、リファレンス信号を受信する。ワイヤレス通信装置は、基地局、例えば、図１によって表されている基地局１２０から、リファレンス信号を受信してよい。パイロットとしても知られているリファレンス信号は、既知のパターンの所定の信号によって占有される別個の時間−周波数リソースのグループを表す。１つ以上のリファレンス信号が存在してよい。ワイヤレス通信装置は、各アンテナアレイによってサポートされる関連する数の候補Ｒｘビーム方向の中でＲｘビームによるリファレンス信号の複数の独立した観測を行う。例えば、夫々の独立した観測の間に、それは、一度に各アンテナアレイによってサポートされる１つの候補Ｒｘビームを用いてリファレンス信号を観測する。そのような独立した観測によれば、各アンテナアレイは、それがサポートする候補Ｒｘビームを循環する。更に、複数の独立した観測が各アンテナアレイで並行して行われ得る。
【００４３】
７２０で、図５によって表されている４辺アンテナアレイ構造を組み込まれたワイヤレス通信装置は、例えば、選択基準を有している。１つ以上の選択基準が存在してよい。夫々のＲＦチェーン、例えば、ＲＦチェーン５１０又は５５０に関して、ワイヤレス通信装置は、選択基準に従って、各アンテナアレイによってサポートされる関連する数の候補Ｒｘビーム方向の中から多くとも１つのＲｘビームを選択する。更に、各アンテナアレイからの１つのＲｘビームは、同時に選択され得る。選択されたＲｘビームは、例えば、高い信号強度、高い信号対雑音比（ＳＮＲ；Signal-to-Noise  Ratio）を表す。記載されるように、選択されたＲｘビームは、良好な信号受信又は送信に寄与する。
【００４４】
７３０で、選択されたＬ個のＲｘビームは、次のビームトレーニングが開始するまで信号受信のために使用される。すなわち、各アンテナアレイは、各アンテナアレイによってサポートされる関連する数の候補Ｒｘビーム方向の中の各候補Ｒｘビームによりリファレンス信号を観測し、各ＲＦチェーンは、選択基準に従って関連する数の候補Ｒｘビーム方向の中の候補Ｒｘビームから１つのＲｘビームを選択する。７３０で、選択されたＲｘビームは、例えば、７２０において、標的信号を捕捉するためにアンテナアレイで使用される。標的信号は、送信されたデータを再生するよう、ベースバンドへ増幅及びダウンコンバートされ、ＡＤＣのバンクでデジタル化され、そしてＭＩＭＯ復号化（逆多重化）される。
【００４５】
信号送信のために、それは、同様のビームトレーニング周期プロセスに従う。Ｔｘ−Ｒｘチャネル相互依存が存在する場合には、送信ビームは、選択された受信ビームと同じであってよい。更に、多面体アンテナアレイ構造によるＬビームＭＩＭＯ信号送信は、例えば、Ｌ個の個別的に識別可能なリファレンス信号を変調することと、各リファレンス信号を１つのＲＦチェーンへ送ることと、各リファレンス信号を、関連するＲＦチェーンへ結合されている１つのアンテナアレイで１つのＴｘビームを使用することによって送信することとを含んでよい。Ｌ個のリファレンス信号は、同時に送信されてよい。Ｔｘビームは、夫々のＲＦチェーンについて循環されてよい。Ｔｘビーム循環リファレンス信号に基づき、基地局、例えば、図１によって表されている基地局１２０は、夫々のＲＦチェーンについてのＴｘビームが最も良く働く識別子をフィードバックしてよい。ＵＥは、次いで、識別されたＴｘビームの組を用いてデータ信号を送信する。
【００４６】
以下の例は、更なる実施形態に関係がある。
【００４７】
例１は、図５によって表される多入力多出力（ＭＩＭＯ）アンテナアレイ構造である。
【００４８】
例２において、例１の主題は、複数のＲＦチェーンの中の異なるＲＦチェーンへ結合される複数のアンテナアレイの中の夫々の隣接するアンテナアレイを任意に含んでよい。
【００４９】
例３において、例１乃至２のうちのいずれかの主題は、信号の送信及び受信のための別個の方向範囲をカバーする複数のアンテナアレイの中の夫々のアンテナアレイを任意に含んでよく、複数のアンテナアレイによってサポートされる別個の方向範囲は部分的に重なり合う。
【００５０】
例４において、例１乃至３のうちのいずれかの主題は、複数のアンテナアレイの夫々を形成する同数の複数のアンテナ素子及び複数の位相シフタを任意に含んでよい。
【００５１】
例５において、例１乃至３のうちのいずれかの主題は、複数のアンテナアレイの夫々を形成する異なる数の複数のアンテナ素子及び複数の位相シフタを任意に含んでよい。
【００５２】
例６において、例１乃至３のうちのいずれかの主題は、第１アンテナアレイを形成する複数のアンテナ素子及び複数の位相シフタの数が、第１アンテナアレイと対称的である第２アンテナアレイを形成する複数のアンテナ素子及び複数の位相シフタの数と同じであることを任意に含んでよい。
【００５３】
例７において、例１乃至３のうちのいずれかの主題は、第１アンテナアレイを形成する複数のアンテナ素子及び複数の位相シフタの数が、第１アンテナアレイと対称的である第２アンテナアレイを形成する複数のアンテナ素子及び複数の位相シフタの数とは異なることを任意に含んでよい。
【００５４】
例８において、例１乃至３のうちのいずれかの主題は、第１アンテナアレイを形成する複数のアンテナ素子及び複数の位相シフタの数が、第１アンテナアレイと非対称的である第２アンテナアレイを形成する複数のアンテナ素子及び複数の位相シフタの数と同じであることを任意に含んでよい。
【００５５】
例９において、例１乃至３のうちのいずれかの主題は、第１アンテナアレイを形成する複数のアンテナ素子及び複数の位相シフタの数が、第１アンテナアレイと非対称的である第２アンテナアレイを形成する複数のアンテナ素子及び複数の位相シフタの数とは異なることを任意に含んでよい。
【００５６】
例１０において、例１乃至９のうちいずれかの主題は、フルランクＭＩＭＯをサポートするＭＩＭＯアンテナアレイ構造を任意に含んでよい。
【００５７】
例１１は、ワイヤレス通信装置である。ワイヤレス通信装置は、多入力多出力（ＭＩＭＯ）アンテナアレイ構造のために構成される複数のアンテナアレイと、信号を受信するようＭＩＭＯアンテナアレイ構造へ結合される受信器と、信号を送信するようＭＩＭＯアンテナアレイ構造へ結合される送信器とを任意に含んでよい。ＭＩＭＯアンテナアレイ構造は、複数のアンテナアレイへ結合される複数の無線周波数（ＲＦ）チェーンを任意に含んでよく、複数のアンテナアレイの数は、複数のＲＦチェーンの数よりも任意に多くてよい。
【００５８】
例１２において、例１１の主題は、複数のＲＦチェーンの中の異なるＲＦチェーンへ結合される複数のアンテナアレイの中の夫々の隣接するアンテナアレイを任意に含んでよい。
【００５９】
例１３において、例１１乃至１２のうちのいずれかの主題は、信号の送信及び受信のための別個の方向範囲をカバーする複数のアンテナアレイの中の夫々のアンテナアレイを任意に含んでよく、複数のアンテナアレイによってサポートされる別個の方向範囲は部分的に重なり合う。
【００６０】
例１４において、例１１乃至１３のうちのいずれかの主題は、受信ビームによって搬送される信号をＭＩＭＯアンテナアレイ構造を介して受信する受信器を任意に含んでよい。
【００６１】
例１５において、例１１乃至１４のうちのいずれかの主題は、送信ビームによって搬送される信号をＭＩＭＯアンテナアレイ構造を介して送信する送信器を任意に含んでよい。
【００６２】
例１６において、例１１乃至１５のうちのいずれかの主題は、同数のアンテナ素子及び位相シフタを有する複数のアンテナアレイの夫々を任意に含んでよい。
【００６３】
例１７において、例１１乃至１５のうちのいずれかの主題は、異なる数のアンテナ素子及び位相シフタを有する複数のアンテナアレイの夫々を任意に含んでよい。
【００６４】
例１８において、例１１乃至１５のうちのいずれかの主題は、複数のアンテナ素子及び複数の位相シフタを有する複数のアンテナアレイの中の個々のアンテナアレイを任意に含んでよく、複数のアンテナアレイの中の第１アンテナアレイのための複数のアンテナ素子及び複数の位相シフタの数は、第１アンテナアレイと対称的である複数のアンテナアレイの中の第２アンテナアレイのための複数のアンテナ素子及び複数の位相シフタの数と同じである。
【００６５】
例１９において、例１１乃至１５のうちのいずれかの主題は、複数のアンテナ素子及び複数の位相シフタを有する複数のアンテナアレイの中の個々のアンテナアレイを任意に含んでよく、複数のアンテナアレイの中の第１アンテナアレイのための複数のアンテナ素子及び複数の位相シフタの数は、第１アンテナアレイと対称的である複数のアンテナアレイの中の第２アンテナアレイのための複数のアンテナ素子及び複数の位相シフタの数とは異なる。
【００６６】
例２０において、例１１乃至１５のうちのいずれかの主題は、複数のアンテナ素子及び複数の位相シフタを有する複数のアンテナアレイの中の個々のアンテナアレイを任意に含んでよく、複数のアンテナアレイの中の第１アンテナアレイのための複数のアンテナ素子及び複数の位相シフタの数は、第１アンテナアレイと非対称的である複数のアンテナアレイの中の第２アンテナアレイのための複数のアンテナ素子及び複数の位相シフタの数と同じである。
【００６７】
例２１において、例１１乃至１５のうちのいずれかの主題は、複数のアンテナ素子及び複数の位相シフタを有する複数のアンテナアレイの中の個々のアンテナアレイを任意に含んでよく、複数のアンテナアレイの中の第１アンテナアレイのための複数のアンテナ素子及び複数の位相シフタの数は、第１アンテナアレイと非対称的である複数のアンテナアレイの中の第２アンテナアレイのための複数のアンテナ素子及び複数の位相シフタの数とは異なる。
【００６８】
例２２は、図７によって表される、複数のビームフォーミングされた信号を受信する方法である。
【００６９】
例２３において、例２２の主題は、複数のアンテナアレイの夫々の関連する数の候補受信ビーム方向の中にある候補受信ビームを任意に含んでよい。
【００７０】
例２４において、例２２乃至２３のうちのいずれかの主題は、複数のアンテナアレイの夫々で並行して行われる複数の独立した観測を任意に含んでよい。
【００７１】
例２５において、例２２乃至２４のうちのいずれかの主題は、同時に選択される複数のアンテナアレイの夫々からの受信ビームを任意に含んでよい。
【００７２】
例２６において、例２２乃至２５のうちのいずれかの主題は、ハイ信号強度を表す選択された受信ビームを任意に含んでよい。
【００７３】
例２７において、例２２乃至２６のうちのいずれかの主題は、高い信号対雑音比（ＳＮＲ）を表す選択された受信ビームを任意に含んでよい。
【００７４】
例２８において、例２２乃至２７のうちのいずれかの主題は、次のビームトレーニング周期が開始するまで信号受信のために使用される複数のアンテナアレイの夫々での選択された受信ビームを任意に含んでよい。
【００７５】
例２９において、例２２乃至２８のうちのいずれかの主題は、標的信号を捕捉するために使用される複数のアンテナアレイの夫々での選択された受信ビームを任意に含んでよい。
【００７６】
例３０において、例２９の主題は、送信されたデータを再生するようベースバンド処理のために増幅されダウンコンバートされる標的信号を任意に含んでよい。
【００７７】
例３１において、例２２乃至３０のうちのいずれかの主題は、既知のパターンの所定の信号によって占有される一群の別個の時間−周波数リソースであるリファレンス信号を任意に含んでよい。
【００７８】
例３２において、例２２乃至３１のうちのいずれかの主題は、一群の選択基準のグループの中の１つである選択基準を任意に含んでよい。
【００７９】
例３３は、プロセッサによって実行される場合に、該プロセッサに、例２２乃至３２のうちのいずれか１つに従って複数のビームフォーミングされた信号を受信する方法を実行させる命令を記録しているコンピュータ可読媒体である。
【００８０】
上記の例のうちのいずれかの特徴の１つ以上は、他の例のうちのいずれか１つと組み合わされてよい。
【００８１】
具体的な態様が記載されてきたが、当業者に当然ながら、形態及び詳細における様々な変更は、添付の特許請求の範囲によって定義されている本開示の態様の精神及び適用範囲から逸脱することなしに、それらの具体的な態様において行われてよい。適用範囲は、このようにして、添付の特許請求の範囲によって示され、特許請求の範囲の均等の意義及び範囲の中にある全ての変更は、従って、包含されるよう意図される。
【００８２】
それらのプロセスは、論理フローグラフにおいてブロックの一群として表されている。ブロックの一群は、構造において単独で、あるいは、ハードウェア、ソフトウェア、及び／又はファームウェアと組み合わせて実装されてよい。ソフトウェア／ファームウェアと関連して、ブロックは、１つ以上のコンピュータ可読媒体に記憶された命令を表し、命令は、１つ以上のプロセッサによって実行されるときに、列挙されている動作を実行する。
【００８３】
語“コンピュータ可読媒体”は、コンピュータ記憶媒体を含む。一実施形態において、コンピュータ可読媒体は非一時的である。例えば、コンピュータ記憶媒体には、制限なしに、磁気記憶装置（例えば、ハードディスク、フロッピー（登録商標）ディスク、及び磁気ストリップ）、光ディスク（例えば、コンパクトディスク（ＣＤ）及びデジタルバーサタイルディスク（ＤＶＤ））、スマートカード、フラッシュメモリ装置（例えば、サムドライブ、スティック、キードライブ、及びＳＤカード）、並びに揮発性及び不揮発性のメモリ（例えば、ランダムアクセスメモリ（ＲＡＭ）、リードオンリーメモリ（ＲＯＭ））が含まれ得る。
【図１】
2019514232.tif 000003
【図２】
2019514232.tif 000004
【図３】
2019514232.tif 000005
【図４ａ】
2019514232.tif 000006
【図４ｂ】
2019514232.tif 000007
【図５】
2019514232.tif 000008
【図６】
2019514232.tif 000009
【図７】
2019514232.tif 000010
【国際調査報告】
2019514232.tif 000011
2019514232.tif 000012